(57)【要約】【課題】ダストボックスを昇降する際の負荷を軽減するともに、このダストボックス内の塵埃を容易に廃棄することができる空気調和機を提供すること。【解決手段】本体ユニット１と化粧パネル２１との間にフィルタチャンバ２０を備え、このフィルタチャンバ２０に、化粧パネル２１の吸込グリル３０を通じて吸い込んだ空気中の塵埃を捕集するエアフィルタ４０と、このエアフィルタ４０に付着した塵埃を除去する掃除機構５０とを備え、この掃除機構５０で除去された塵埃が当該掃除機構５０から移されて集積されるダストボックス３７を備えるとともに、このダストボックス３７を、エアフィルタ４０及び掃除機構５０に対して昇降可能に支持する吸込グリル３０及び昇降ユニット３５を備える。【選択図】図９
2010043781.tif 000002
【特許請求の範囲】
【請求項１】
熱交換器及び送風機を有する本体ユニットと、この本体ユニットの下方に配置される化粧パネルとを備えた空気調和機において、
前記本体ユニットと前記化粧パネルとの間にフィルタチャンバを備え、このフィルタチャンバに、前記化粧パネルの吸込グリルを通じて吸い込んだ空気中の塵埃を捕集するエアフィルタと、このエアフィルタに付着した塵埃を除去する除去手段とを備え、
この除去手段で除去された塵埃が当該除去手段から移されて集積されるダストボックスを備えるとともに、このダストボックスを、前記エアフィルタ及び前記除去手段に対して昇降可能に支持する昇降手段を備えることを特徴とする空気調和機。
【請求項２】
前記除去手段は、前記エアフィルタ上を転動する回転ブラシと、この回転ブラシの下方に位置し、当該回転ブラシで除去した塵埃を受ける塵埃受け部とを備え、この塵埃受け部は、当該塵埃受け部が前記ダストボックスの上方に移動した場合、この移動動作に伴って開放され、前記塵埃受け部内の塵埃を前記ダストボックスに投下する底蓋を備えることを特徴とする請求項１に記載の空気調和機。
【請求項３】
前記ダストボックスは、前記塵埃受け部が当該ダストボックスの上方に移動した場合、この移動動作に伴って開放する上蓋を備え、この上蓋は、前記塵埃受け部が当該ダストボックスから離間した際に閉塞することを特徴とする請求項２に記載の空気調和機。
【請求項４】
前記ダストボックスは、前記塵埃受け部が当該ダストボックスから離間した際に、当該ダストボックス内の塵埃を圧縮する圧縮手段を備えることを特徴とする請求項２または３に記載の空気調和機。
【請求項５】
前記昇降手段は、前記吸込グリルを前記本体ユニットに対して昇降可能に構成され、前記ダストボックスは、前記吸込グリルに着脱自在に配置されていることを特徴とする請求項１乃至４のいずれかに記載の空気調和機。
【発明の詳細な説明】
【技術分野】
【０００１】
本発明は、吸込グリルから吸い込んだ空気中の塵埃を捕集するエアフィルタを備えた空気調和機に関する。
【背景技術】
【０００２】
従来、熱交換器及び送風機を有する本体ユニットと、この本体ユニットの下方に配置される化粧パネルとを備えた空気調和機が知られている。この種の空気調和機では、化粧パネルの吸込グリルにエアフィルタを備え、このエアフィルタによって吸込グリルから吸い込んだ空気中に含まれる塵埃を捕集している。このため、エアフィルタには上記塵埃が捕集されて蓄積されるので、空気調和機の累積運転時間が長くなると、エアフィルタが目詰まりを起こし、通気抵抗の増加に伴って空気調和機の運転効率が低下する。
これを解消するために、エアフィルタが配置された吸込グリルを昇降可能とするとともに、エアフィルタに付着した塵埃を除去する回転ブラシと、この回転ブラシで除去した塵埃を捕集するダストボックスと、このダストボックス及び回転ブラシをエアフィルタに沿って移動させるガイドレール及び駆動モータと、を吸込グリル上に設けたものが提案されている（例えば、特許文献１参照）。
【特許文献１】特開２００７−４０６８９号公報
【発明の開示】
【発明が解決しようとする課題】
【０００３】
しかし、従来の構成では、吸込グリル上には、エアフィルタ、回転ブラシ、ダストボックス、ガイドレール及び駆動モータが配置されているため、この吸込グリルの重量が増加し、当該吸込グリルを昇降させる昇降モータへの負荷が増大するといった問題があった。更に、従来の構成では、ダストボックスには、回転ブラシ及びガイドレールが係合するとともに、これらダストボックス、回転ブラシ及びガイドレールの上方にはエアフィルタが配置されているため、ダストボックス内の塵埃を廃棄する場合には、エアフィルタを取り外した後に、ガイドレールからダストボックスを取り外すことを要し、廃棄作業が煩雑になるといった問題があった。
そこで、本発明は、上述した従来の技術が有する課題を解消し、ダストボックスを昇降する際の負荷を軽減するともに、このダストボックス内の塵埃を容易に廃棄することができる空気調和機を提供することを目的とする。
【課題を解決するための手段】
【０００４】
本発明は、熱交換器及び送風機を有する本体ユニットと、この本体ユニットの下方に配置される化粧パネルとを備えた空気調和機において、前記本体ユニットと前記化粧パネルとの間にフィルタチャンバを備え、このフィルタチャンバに、前記化粧パネルの吸込グリルを通じて吸い込んだ空気中の塵埃を捕集するエアフィルタと、このエアフィルタに付着した塵埃を除去する除去手段とを備え、この除去手段で除去された塵埃が当該除去手段から移されて集積されるダストボックスを備えるとともに、このダストボックスを、前記エアフィルタ及び前記除去手段に対して昇降可能に支持する昇降手段を備えることを特徴とする。
【０００５】
この構成によれば、昇降手段には、除去手段から塵埃が移されて集積されるダストボックスが配置され、当該除去手段及びエアフィルタはフィルタチャンバに配置することができるため、昇降手段の負荷を軽減できるとともに、ダストボックス内の塵埃の廃棄を容易に行うことができる。
【０００６】
この構成において、前記除去手段は、前記エアフィルタ上を転動する回転ブラシと、この回転ブラシの下方に位置し、当該回転ブラシで除去した塵埃を受ける塵埃受け部とを備え、この塵埃受け部は、当該塵埃受け部が前記ダストボックスの上方に移動した場合、この移動動作に伴って開放され、前記塵埃受け部内の塵埃を前記ダストボックスに投下する底蓋を備える構成としても良い。この構成によれば、回転ブラシで除去した塵埃を塵埃受け部で一時的に受け、この塵埃受け部がダストボックスの上方に移動した場合、この移動動作に伴って底蓋が開放され、塵埃受け部で受けた塵埃がダストボックスに投下されるため、ダストボックスは投下される塵埃を捕捉できる構成を備えていればよく、昇降手段によって昇降動作するダストボックスの構成を簡素化することができる。
【０００７】
また、前記ダストボックスは、前記塵埃受け部が当該ダストボックスの上方に移動した場合、この移動動作に伴って開放する上蓋を備え、この上蓋は、前記塵埃受け部が当該ダストボックスから離間した際に閉塞する構成としても良い。この構成によれば、除去手段の塵埃受け部がダストボックスから離間している場合には、このダストボックスの上蓋が閉塞されているため、当該ダストボックス内に集積された塵埃が送風機の動作によって生じる風によって再び吹き上げられることが防止される。
【０００８】
また、前記ダストボックスは、前記塵埃受け部が当該ダストボックスから離間した際に、当該ダストボックス内の塵埃を圧縮する圧縮手段を備える構成としても良い。この構成によれば、ダストボックス内に集積された塵埃が圧縮されて当該塵埃の体積が縮小するため、ダストボックス内の塵埃を廃棄するための期間を長くすることができ、当該ダストボックスのメンテナンス作業を軽減することができる。
【０００９】
また、前記昇降手段は、前記吸込グリルを前記本体ユニットに対して昇降可能に構成され、前記ダストボックスは、前記吸込グリルに着脱自在に配置されている構成としても良い。この構成によれば、ダストボックス内の塵埃を廃棄する際には、このダストボックスを吸込グリルとともに下降させ、当該ダストボックスを吸込グリルから離脱させるだけでよく、当該廃棄作業を軽減することができる。
【発明の効果】
【００１０】
本発明によれば、昇降手段には、除去手段から塵埃が移されて集積されるダストボックスが配置され、当該除去手段及びエアフィルタはフィルタチャンバに配置することができるため、昇降手段の負荷を軽減できるとともに、ダストボックス内の塵埃の廃棄を容易に行うことができる。
【発明を実施するための最良の形態】
【００１１】
以下、本発明の一実施の形態を、図面を参照して説明する。
図１は、本発明の実施の形態に係る天井埋込型空気調和機１００の斜視図であり、図２は天井埋込型空気調和機１００の分解斜視図である。また、図３は天井埋込型空気調和機１００の断面図である。
天井埋込型空気調和機１００は、図１乃至図３に示すように、箱形に形成された板金製の本体ユニット１を有し、この本体ユニット１と、フィルタチャンバ２０と、化粧パネル２１とが三段に重ねられて構成されている。
本体ユニット１の外側面には、図１に示すように、複数の吊り金具１Ｂが設けられており、各々の吊り金具１Ｂには、図３に示すように、天井面１１０に固定された吊下ボルト２がナット４（図１）によって固定され、これらの吊下ボルト２を介して、天井埋込型空気調和機１００は天井面１１０から吊り下げ設置される。この場合、天井埋込型空気調和機１００の化粧パネル２１は、上記天井面１１０の下方に天井裏空間１１１を介して設けられる天井板１１２に配置されて被調和室に露出している。
【００１２】
図３に示すように、本体ユニット１の内部には、側板１Ａ及び天面の内側に発泡スチロール製の断熱材３がほぼ全面にわたって配置されており、この断熱材３の内側に、送風機９、及び熱交換器１１が収容されている。
送風機９は、シャフトを下向きに配置されたモータ５と、モータ５のシャフトに取り付けられたターボファン７とで構成されている。熱交換器１１は、上面視で五角形に成形されたプレートフィン型の熱交換器であり、送風機９を取り囲むように配置される。
【００１３】
熱交換器１１の下方には、熱交換器１１の下面１１Ａを覆うように、発泡スチロール樹脂等の合成樹脂製のドレンパン１３が配設され、ドレンパン１３に溜まるドレンを外部に排出するドレンポンプ（図示略）が設けられている。
ドレンパン１３は、本体ユニット１の側板１Ａの内面に接するように配設され、ドレンパン１３の中央には吸込開口１４が開口し、周縁部には熱交換器１１を通った送風機９の排気を通すための吹出開口１５が形成されている。吸込開口１４の上部には、吸込開口１４を通った被調和室の空気を送風機９に案内するノズル１７が取り付けられている。また、ドレンパン１３には天井埋込型空気調和機１００の制御回路や電源回路等を収容した電装ボックス（図示略）等の各種部品がねじ止めされている。
【００１４】
フィルタチャンバ２０は、ドレンパン１３の直下に重ねて配設されており、フィルタチャンバ２０にはドレンパン１３の吹出開口１５に連通する通風孔２５と、吸込開口１４に連通する矩形状の吸込開口２６とが形成されている。吸込開口２６は、この吸込開口２６の四辺に沿って形成される枠部２６Ａを備え、この枠部２６Ａには、図１及び図２に示すように、当該吸込開口２６を通じて本体ユニット１に流入する被調和室内の空気中に含まれる塵埃を捕集するエアフィルタ４０が嵌め込まれている。このエアフィルタ４０は、網目状に形成されるフィルタ素材４１と、このフィルタ素材４１を支持する格子状に形成されたフィルタ支持枠４２とを備え、これらフィルタ素材４１とフィルタ支持枠４２とが一体に形成されている。
本構成では、フィルタチャンバ２０は、エアフィルタ４０の風上側、すなわちエアフィルタ４０の下面（捕集面）側に、当該エアフィルタ４０に付着した塵埃を自動的に除去する掃除機構（除去手段）５０を備える。この掃除機構５０は、エアフィルタ４０の下面を、図３に矢印Ｘで示す方向に移動可能に構成されており、この移動の際に当該エアフィルタ４０に付着した塵埃を除去するものである。この掃除機構５０については後述する。
【００１５】
フィルタチャンバ２０の下面には、被調和室内に露出する化粧パネル２１がねじ（図示略）等により取り付けられている。化粧パネル２１には、被調和室の空気を吸込む吸込口２２と、熱交換器１１を通った調和空気を被調和室に吹き出す吹出口２３とが形成され、この吹出口２３には、風向を変更するためのルーバ２４が設けられている。
吸込口２２はフィルタチャンバ２０の吸込開口２６に連通し、吹出口２３はフィルタチャンバ２０の通風孔２５に連通する位置および形状に形成されている。
【００１６】
また、化粧パネル２１には、吸込口２２に嵌合する吸込グリル３０と、吸込グリル３０を４本の吊紐３６、３７、３８、３９によって昇降自在に支持する昇降ユニット３５とが取り付けられている。本実施形態では、吸込グリル３０と昇降ユニット３５とを備えて昇降手段が構成される。吸込グリル３０の中央には室内空気を吸い込む吸込口３１が形成され、この吸込グリル３０が吸込口２２に嵌合した状態で吸込口３１が吸込開口２６に連通する。
【００１７】
昇降ユニット３５は、化粧パネル２１の内側、すなわちフィルタチャンバ２０側の面に、板金製のステー（図示略）を介して取り付けられ、４本の吊紐３６〜３９を繰り出し、或いは巻き戻すことにより、所定の範囲で吸込グリル３０を昇降させる。
吸込グリル３０は、その一辺に２本の吊紐３６、３７が固定され、他辺に２本の吊紐３８、３９が固定されている。昇降ユニット３５は、吊紐３６、３７の繰り出し及び巻き戻しを行う第１機構（図示略）と、吊紐３８、３９の繰り出し及び巻き戻しを行う第２機構（図示略）と、これら第１機構及び第２機構を制御する制御基板（図示略）とを、一つの筐体に収納したものである。
【００１８】
吊紐３６〜３９は、その一端がそれぞれ吸込グリル３０の裏面、すなわち図１中上側の面に固定され、他端は、化粧パネル２１の裏面に設けられたガイド５５，５６によって水平方向に転向され、昇降ユニット３５内に収容される。
上記の第１機構は、吊紐３６、３７が巻き回されるボビン（図示略）、ボビンを回転させるギア（図示略）及びモータ（図示略）を内蔵し、このモータの正転或いは逆転動作によってボビンが正方向または逆方向に回転され、吊紐３６、３７の繰り出し或いは巻き戻しが行われる。同様に、吊紐３８、３９の他端は第２機構が備えるボビン（図示略）に巻き回され、第２機構が有するモータの正転或いは逆転動作がギアを介してボビンに伝達され、ボビンが正方向または逆方向に回転されて、吊紐３８、３９の繰り出し或いは巻き戻しが行われる。
また、吸込グリル３０には、図３に示すように、この吸込グリル３０を化粧パネル２１の吸込口２２に嵌合した際に、上記昇降ユニット３５と対向する一方の辺３０Ａと反対側の他方の辺３０Ｂに沿って、ダストボックス５７が配置されている。このダストボックス５７は、掃除機構５０で除去された塵埃が当該掃除機構５０から移されて集積されるものであり、吸込グリル３０に昇降可能に支持されている。
本構成では、フィルタチャンバ２０にエアフィルタ４０と、このエアフィルタ４０上の塵埃を除去する掃除機構５０とを備え、この掃除機構５０で除去された塵埃が当該掃除機構５０から移されて集積されるダストボックス５７が吸込グリル３０に昇降可能に支持されている。このため、エアフィルタ４０と掃除機構５０とをフィルタチャンバ２０に残した状態で、ダストボックス５７を吸込グリル３０とともに昇降させることができるため、昇降ユニット３５の負荷の軽減を図ることができる。
【００１９】
このように構成される天井埋込型空気調和機１００は、図示しない室外機から供給される冷媒を熱交換器１１に通して、熱交換器１１を蒸発器または凝縮器として機能させ、図３に示すように、送風機９の動作によって吸込口３１から被調和室の室内空気を吸い込み、吸込開口２６、吸込開口１４、及びノズル１７を通して室内空気を熱交換器１１に通して冷却または加熱し、調和空気とする。そして、天井埋込型空気調和機１００は、送風機９の動作によって、調和空気を吹出開口１５及び通風孔２５を通して吹出口２３から被調和室に吹き出し、被調和室を冷房または暖房する。
【００２０】
次に、掃除機構５０について説明する。
掃除機構５０は、図１に示すように、エアフィルタ４０の全幅に渡って延在する横長のブラシユニット５１と、このブラシユニット５１をエアフィルタ４０の下面で移動可能に支持する一対のガイドレール５２Ｌ，５２Ｒとを備える。これらガイドレール５２Ｌ，５２Ｒは、長尺の角柱状に形成されており、その上面には、当該ガイドレール５２Ｌ，５２Ｒの全長に亘ってラックギア（図示略）が形成されている。また、ガイドレール５２Ｌ，５２Ｒは、その両端部がそれぞれフィルタチャンバ２０の枠部２６Ａから垂下されるステー５３，５３に連結されている。
掃除機構５０は、天井埋込型空気調和機１００の運転が停止している時間に、エアフィルタ４０の下面を往復移動して、このエアフィルタ４０に付着した塵埃を自動的に除去するものである。天井埋込型空気調和機１００の運転中には、ブラシユニット５１は、通風を阻害しない待機位置（例えば、昇降ユニット３５の上方）に位置している。
【００２１】
図４は、ブラシユニット５１の外観斜視図であり、図５は、図４の状態から上側ケースを外した状態を示す斜視図である。
ブラシユニット５１は、図４に示すように、一対のガイドレール５２Ｌ，５２Ｒ上に配置されるケース体６１を備え、このケース体６１は、下側ケース６２とこの下側ケース６２に組み合わされる上側ケース６３とから構成される。ケース体６１には、図５に示すように、このケース体６１の全幅に渡って延在する横長の回転ブラシ６４が配置され、図４に示すように、上側ケース６３の上面６３Ａには、当該回転ブラシ６４の外周部がケース体６１の外側に向けて突出する開口部６３Ｂが形成されている。
また、ケース体６１には、このケース体６１の一端側６１Ａに配置されて回転ブラシ６４を回転駆動するブラシ駆動機構６５と、当該ケース体６１の他端側６１Ｂに配置されて当該ケース体６１をガイドレール５２Ｌ，５２Ｒ上で移動させる移動機構６６とが形成されている。
【００２２】
ブラシ駆動機構６５は、下側ケース６２にねじ止めされているブラシ駆動モータ７１と、当該下側ケース７２に収容されてブラシ駆動モータ７１の駆動軸に設けられたピニオン（図示略）に噛合う第１変速車７３と、この第１変速車７３と同軸上に設けられる第２変速車７４と、この第２変速車７４に噛合う第３変速車７５と、この第３変速車７５と同軸上に設けられる第４変速車７６とを備え、この第４変速車７６が回転ブラシ６４の一方の軸端部に設けたピニオン７７に噛合っている。これら第１変速車７３〜第４変速車７６は、ブラシ駆動モータ７１の回転数を回転ブラシ６４用の回転数まで減速させる減速車として機能するとともに、回転ブラシ６４の回転方向を規定する。ブラシ駆動モータ７１は、図５中の矢印Ａ方向（反時計周り方向）に回転駆動するように制御され、このブラシ駆動モータ７１の回転が上記第１変速車７３〜第４変速車７６を介することにより、減速されて回転ブラシ６４に伝達されるため、この回転ブラシ６４は、図５中の矢印Ｂ方向（時計周り方向）に回転される。これにより、エアフィルタ４０に付着した塵埃がエアフィルタ４０の回転により掻き落とされ、この掻き落とされた塵埃はケース体６１の内部に捕集される。
【００２３】
移動機構６６は、図５に示すように、下側ケース６２にねじ止めされている移動用モータ８１と、当該下側ケース７２に収容されて移動用モータ８１の駆動軸に設けられたピニオン（図示略）に噛合う第５変速車８２と、この第５変速車８２と同軸上に設けられる第６変速車８３と、この第６変速車８３に噛合う第７変速車８４と、この第７変速車８４と同軸上に設けられる第８変速車８５と、この第８変速車８５に噛合う第９変速車８６と、この第９変速車８６と同軸上に設けられる第１０変速車８７とを備え、この第１０変速車８７が一方のガイドレール５２Ｒのラックギアに噛合うピニオン８８と噛合っている。このピニオン８８には、下側ケース６２の幅方向に亘って設けられる回転軸８９の一端が連結され、この回転軸８９の他端には上記ピニオン８８と同径、同歯数のピニオン９０が連結されている。このピニオン９０は、他方のガイドレール５２Ｌのラックギアに噛合っている。これらラックギア上をピニオン８８，９０が回転することによって、図３に示すように、ブラシユニット５１を、エアフィルタ４０の下面に沿って当該エアフィルタ４０の一端側４０Ａから他端側４０Ｂまで移動させることができる。
第５変速車８２〜第１０変速車８７は、移動用モータ８１の回転数をブラシユニット５１がガイドレール５２Ｌ，５２Ｒ上を移動するのに適した回転数まで減速させる減速車として機能するとともに、ガイドレール５２Ｌ，５２Ｒのラックギアに噛合うピニオン８８，９０の回転方向を規定する。
移動用モータ８１は、図５中の矢印Ｃ方向（時計周り方向）もしくは矢印Ｄ方向（反時計周り方向）に選択的に回転駆動するように制御される。移動用モータ８１を矢印Ｃ方向に駆動させると、この移動用モータ８１の回転は、第５変速車８２〜第１０変速車８７を介して減速されるとともに、同一の回転方向のままピニオン８８、９０に伝達される。これにより、ブラシユニット５１はガイドレール５２Ｌ，５２Ｒ上を矢印Ｘ１方向に移動する。同様に、移動用モータ８１を矢印Ｄ方向に駆動させると、この移動用モータ８１の回転は、第５変速車８２〜第１０変速車８７を介して減速されつつ、同一の回転方向のままピニオン８８、９０に伝達される。これにより、ブラシユニット５１はガイドレール５２Ｌ，５２Ｒ上を矢印Ｘ２方向に移動する。
【００２４】
図６は、ブラシユニット５１の側面図である。
この図６に示すように、ブラシユニット５１は、回転ブラシ６４の下方に、この回転ブラシ６４で掻き落とした（除去した）塵埃を受けて、この塵埃を一時的に貯める塵埃収容室（塵埃受け部）６７を備える。この塵埃収容室６７は、図１に示すように、ガイドレール５２Ｌ，５２Ｒ間に突出して、下側ケース６２の幅方向に亘って当該下側ケース６２の下面に一体に形成されている。
塵埃収容室６７は、下面に開閉自在な下蓋（底蓋）６８を備え、この下蓋６８は、塵埃収容室６７に溜まった塵埃をダストボックス５７に投下する際に開放される。この下蓋６８は、塵埃収容室６７における昇降ユニット３５側の側面６７Ａの下縁部にヒンジ軸６９を介してヒンジ連結され、通常時には、内部の塵埃が落下しないように閉塞する方向にばね付勢されている。
また、下蓋６８は、ヒンジ軸６９側に延出した延出部６８Ａを備え、この延出部６８Ａには、下方に突出する三角形状の複数の突出片９１が形成されている。これら突出片９１は、塵埃収容室６７の幅方向に所定間隔をあけて略同じ大きさに設けられており、ブラシユニット５１をダストボックス５７上に移動させた場合に、このダストボックス５７と当接し、ばね力に抗って下蓋６８を開放させる機能を有するものである。
【００２５】
図７は、ブラシユニット５１とダストボックス５７とを示す側断面図であり、図８は、ブラシユニット５１がダストボックス５７上に移動した状態を示す側断面図である。これら図７、図８では変速車等の記載を省略している。
ダストボックス５７は、図７に示すように、上面が開放されて箱状に形成された箱本体９２と、この箱本体９２の上面を開閉自在な上蓋９３とを備える。この上蓋９３は、図８に示すように、ブラシユニット５１がダストボックス５７上に移動した際に開放されて、ブラシユニット５１の塵埃収容室６７から投下された塵埃を受ける。
上蓋９３は、箱本体９２における吸込グリル３０の他方の辺３０Ｂ側に位置する側面９２Ａの上縁部にヒンジ軸９４を介してヒンジ連結されている。また、箱本体９２の上記側面９２Ａに対向する側面９２Ｂの上縁部には、上蓋９３の上部に延在するストッパ部９２Ｂ１が形成されている。このストッパ部９２Ｂ１は、上蓋９３に当接し、この上蓋９３が箱本体９２の外側に開放することを規制するものである。また、ヒンジ軸９４には、ばね部材９５は設けられ、通常時、すなわちブラシユニット５１がダストボックス５７から離間した際に、このダストボックス５７の内部の塵埃が風で吹き上げられないように上蓋９３を閉塞する方向にばね付勢されている。
また、上蓋９３は、上方に突出する三角形状の複数の突出片９６が形成されている。これら突出片９６は、ダストボックス５７の幅方向に所定間隔をあけて略同じ大きさに設けられており、ブラシユニット５１をダストボックス５７上に移動させた場合に、ブラシユニット５１の塵埃収容室６７と当接し、ばね力に抗って上蓋９３を開放させる機能を有する。
【００２６】
本構成では、ダストボックス５７は、吸込グリル３０に着脱自在に支持されている。具体的には、図７に示すように、吸込グリル３０の上面には、ダストボックス５７を支持する一対の支持部３２Ａ，３２Ｂが、当該ダストボックス５７の箱本体９２の幅と略同一の間隔をあけて立設されており、これら支持部３２Ａ，３２Ｂの内側の面には、凹部３２Ａ１，３２Ｂ１がそれぞれ形成されている。これら凹部３２Ａ１，３２Ｂ１は、ダストボックス５７の箱本体９２の側面９２Ａ，９２Ｂにそれぞれ形成された突部９７、９８が係止し、ダストボックス５７が支持部３２Ａ，３２Ｂから容易に脱落することを防止するものである。
ダストボックス５７を支持部３２Ａ，３２Ｂに取り付ける場合には、これら支持部３２Ａ，３２Ｂ間にダストボックス５７を押し込むことにより、当該支持部３２Ａ，３２Ｂが、図７中矢印Ｙ方向に湾曲し、上記突部９７，９８が凹部３２Ａ１，３２Ｂ１に嵌ると、当該支持部３２Ａ，３２Ｂが元の状態に復元するため、ダストボックス５７が支持部３２Ａ，３２Ｂに係止される。
また、ダストボックス５７を支持部３２Ａ，３２Ｂから取り外す場合には、例えば、一方の支持部３２Ａを上記矢印Ｙ方向に湾曲させて、突部９７と凹部３２Ａ１との係合を解除し、ダストボックス５７を上方に取り外す。これにより、ダストボックス５７を吸込グリル３０の支持部３２Ａ，３２Ｂに容易に着脱することができる。
【００２７】
次に、動作について説明する。
深夜時間帯等、天井埋込型空気調和機１００の運転が停止している場合に、上記した掃除機構５０が動作される。この掃除機構５０の移動用モータ８１を動作されると、この移動用モータ８１の回転が複数の変速車を介して、ピニオン８８，９０に伝達され、このピニオン８８，９０の回転によって、ブラシユニット５１がガイドレール５２Ｌ，５２Ｒ上を往復移動する。
また、ブラシ駆動モータ７１が動作されると、図７に示すように、このブラシ駆動モータ７１の回転が複数の変速車を介して、回転ブラシ６４に伝達され、当該回転ブラシ６４が図中矢印Ｂ方向に回転する。この回転ブラシ６４の回転により、エアフィルタ４０に付着した塵埃２００は回転ブラシ６４に掻き落とされ、この回転ブラシ６４に付着する。ケース体６１には、回転ブラシ６４の下方に当該回転ブラシ６４の全幅に渡って延在する塵埃剥離板５８が取り付けられている。この塵埃剥離板５８は、その先端を回転ブラシ６４の外周面に略沿う方向に屈曲して当該回転ブラシ６４に接触する爪部を有し、回転ブラシ６４が回転した場合に、この回転ブラシ６４と上記爪部とが接触して、回転ブラシ６４に付着した塵埃２００を剥離して塵埃収容室６７に収容させる。
【００２８】
この塵埃収容室６７に収容された塵埃２００は、塵埃収容室６７（ブラシユニット５１）がダストボックス５７上に移動した際に、このダストボックス５７内に投下される。具体的には、ブラシユニット５１がダストボックス５７上に移動する際に、ダストボックス５７の上蓋９３に形成された突出片９６と、ブラシユニット５１の塵埃収容室６７とが当接する。この突出片９６は、ブラシユニット５１に向けて下方に延びる斜辺部を備えているため、この斜辺部と塵埃収容室６７とが当接した状態で、この塵埃収容室６７がダストボックス５７側に移動すると、この移動動作に伴って突出片９６が押され、上蓋９３はヒンジ軸９４を中心に箱本体９２の内側に開放される。
一方、ブラシユニット５１の塵埃収容室６７の下蓋６８は、この下蓋６８の延出部６８Ａに形成された突出片９１がダストボックス５７の箱本体９２に当接する。この突出片９１は、ダストボックス５７に向けて上方に延びる斜辺部を備えているため、この斜辺部とダストボックス５７の箱本体９２とが当接した状態で、この塵埃収容室６７がダストボックス５７側に移動すると、この移動動作に伴って突出片９１が押され、下蓋６８はヒンジ軸９４を中心に塵埃収容室６７の外側に開放される。これにより、塵埃収容室６７内の塵埃２００は、ダストボックス５７の上蓋９３の上面を経由して当該ダストボックス５７の箱本体９２内に投下される。
本実施形態では、ブラシユニット５１がエアフィルタ４０の下面を一往復するごとに、このブラシユニット５１の塵埃収容室６７は、ダストボックス５７の上方に移動し、当該塵埃収容室６７内の塵埃をダストボックス５７に投下する動作を実行するが、これに限るものではなく、例えば、掃除機構５０の掃除動作が終了するごと、もしくは、この掃除動作を複数回実行するごとに、ブラシユニット５１をダストボックス５７の上方に移動させ、当該ダストボックス５７への投下動作を実行するように制御しても良い。
【００２９】
ダストボックス５７内に塵埃が溜まったら、図９に示すように、このダストボックス５７を吸込グリル３０とともに下降させる。このダストボックス５７は、吸込グリル３０に着脱自在に配置されているため、このダストボックス５７を吸込グリル３０から取り外して当該ダストボックス５７内の塵埃を容易に廃棄することができる。本実施形態では、天井埋込型空気調和機１００の運転時間が所定時間（例えば３ヶ月）に至ったら、ダストボックス５７を吸込グリル３０とともに降下させているが、これに限るものではなく、例えば、ダストボックス５７内に塵埃の量を検出する満量センサを設け、この満量センサが作動した場合に、ダストボックス５７を降下させる構成としても良い。
【００３０】
以上、説明したように、本実施形態によれば、熱交換器１１及び送風機９を有する本体ユニット１と、この本体ユニット１の下方に配置される化粧パネル２１とを備え、本体ユニット１と化粧パネル２１との間にフィルタチャンバ２０を備え、このフィルタチャンバ２０に、化粧パネル２１の吸込グリル３０を通じて吸い込んだ空気中の塵埃を捕集するエアフィルタ４０と、このエアフィルタ４０に付着した塵埃を除去する掃除機構５０とを備え、この掃除機構５０で除去された塵埃が当該掃除機構５０から移されて集積されるダストボックス３７を備えるとともに、このダストボックス３７を、エアフィルタ４０及び掃除機構５０に対して昇降可能に支持する吸込グリル３０及び昇降ユニット３５を備えるため、この吸込グリル３０には、掃除機構５０から塵埃が移されて集積されるダストボックス３７が配置され、当該掃除機構５０及びエアフィルタ４０をフィルタチャンバ２０に残して配置することができるため、昇降ユニット３５の負荷を軽減できる。さらに、吸込グリル３０上にはダストボックス５７のみが配置されるため、このダストボックス５７内の塵埃の廃棄を容易に行うことができる。
【００３１】
また、本実施形態によれば、掃除機構５０は、エアフィルタ４０上を転動する回転ブラシ６４と、この回転ブラシ６４の下方に位置し、当該回転ブラシ６４で除去した塵埃を受ける塵埃収容室６７とを備え、この塵埃収容室６７は、当該塵埃収容室６７がダストボックス５７の上方に移動した場合、この移動動作に伴って開放され、塵埃収容室６７内の塵埃をダストボックス５７に投下する下蓋６８を備えるため、ダストボックス５７は投下される塵埃を捕捉できる構成を備えていればよく、吸込グリル３０とともに昇降するダストボックス５７の構成を簡素化することができる。
【００３２】
また、本実施形態によれば、ダストボックス５７は、塵埃収容室６７が当該ダストボックス５７の上方に移動した場合、この移動動作に伴って開放する上蓋９３を備え、この上蓋９３は、塵埃収容室６７が当該ダストボックス５７から離間した際に閉塞するため、ダストボックス５７内に集積された塵埃が送風機９の動作によって生じる風によって再び吹き上げられることが防止される。
【００３３】
また、本実施形態によれば、吸込グリル３０を本体ユニット１に対して昇降可能に構成され、ダストボックス５７は、吸込グリル３０に着脱自在に配置されているため、このダストボックス５７内の塵埃を廃棄する際には、このダストボックス５７を吸込グリル３０とともに下降させ、当該ダストボックス５７を吸込グリル３０から離脱させるだけでよく、当該廃棄作業を軽減することができる。
【００３４】
次に、ダストボックスの変形例について説明する。
図１０は、ブラシユニット５１とダストボックス１５０とを示す側断面図であり、図１１は、ブラシユニット５１がダストボックス１５０上に移動した状態を示す側断面図である。これら図１０、図１１においても変速車等の記載を省略している。
この変形例にかかるダストボックス１５０は、上記したダストボックス５７と比べて、ダストボックス１５０内の塵埃２００を圧縮する押圧板（圧縮手段）を備える点で構成を異にしている。その他の構成については、上記した実施形態ものと同一であるため、同一の構成のものには同一の構成を付して説明を省略する。
ダストボックス１５０は、図１０に示すように、箱本体９２の短手方向にスライドして開閉される上蓋１５１を備える。この上蓋１５１は、開放時に箱本体９２の側面９２Ａの外側に突出し、閉塞時に箱本体９２の一の側面９２Ａ側から他の側面９２Ｂ側にスライドするようになっている。箱本体９２には、上記上蓋１５１の両側部を案内する上下一対のガイド部１５２，１５３が形成されている。上蓋１５１は、これらガイド部１５２，１５３の間をスライド動作する。
【００３５】
上蓋１５１は、先端部（他の側面９２Ｂ側の端部）１５１Ａに、この先端部１５１Ａから下方に延びる押圧板１５４を備える。この押圧板１５４は、ダストボックス１５０の箱本体９２の略全幅に渡って延在し、上蓋１５１と一体に形成されている。これにより、上蓋１５１が開放する場合には、押圧板１５４は、箱本体９２の他の側面９２Ｂから離間し、これら押圧板１５４と他の側面９２Ｂとの間の空間が広がる。一方、上蓋１５１が閉塞する場合には、押圧板１５４は、他の側面９２Ｂに接近し、これら押圧板１５４と他の側面９２Ｂとの間の空間が狭まる。
押圧板１５４と、一の側面９２Ａとの間には、コイルばね１５５などの付勢手段が配置され、この押圧板１５４を他の側面９２Ｂ側に付勢している。
また、上蓋１５１の上面には、この上面から上方に突出する突出片１５６が形成されている。この突出片１５６は、ブラシユニット５１をダストボックス５７上に移動させた場合に、このダストボックス５７に形成された当接片１２０に当接し、ばね力に抗って上蓋１５１を開放させるものである。
【００３６】
次に、動作について説明する。ブラシユニット５１がエアフィルタ４０の下面を往復移動して、このエアフィルタ４０に付着した塵埃を除去し、この除去した塵埃をブラシユニット５１の塵埃収容室６７に収容するまでは、上述したものと同一であるため、説明を省略する。
塵埃収容室６７に収容された塵埃２００は、塵埃収容室６７（ブラシユニット５１）がダストボックス１５０上に移動した際に、このダストボックス１５０内に投下される。
具体的には、図１１に示すように、ブラシユニット５１がダストボックス１５０上に移動する場合、ダストボックス１５０の上蓋１５１に形成された突出片１５６と、ブラシユニット５１の塵埃収容室６７に形成された当接片１２０とが当接する。そして、塵埃収容室６７が更にダストボックス１５０側に移動すると、この移動に伴って突出片１５６が当接片１２０によって押されるため、上蓋１５１はコイルばね１５５のばね力に抗ってスライド動作され、この上蓋１５１は開放される。
ブラシユニット５１の塵埃収容室６７の下蓋６８は、この下蓋６８の延出部６８Ａに形成された突出片９１がダストボックス１５０の箱本体９２に当接する。この突出片９１は、ダストボックス１５０に向けて上方に延びる斜辺部を備えているため、この斜辺部とダストボックス１５０の箱本体９２とが当接した状態で、この塵埃収容室６７がダストボックス１５０側に移動すると、この移動動作に伴って突出片９１が押され、下蓋６８はヒンジ軸９４を中心に塵埃収容室６７の外側に開放される。これにより、塵埃収容室６７内の塵埃２００は、箱本体９２の他の側面９２Ｂと押圧板１５４との間に投下される。
一方、ダストボックス１５０内に投下された塵埃は、塵埃収容室６７がダストボックス５７から離間する方向に移動する場合にダストボックス１５０の押圧板１５４によって圧縮される。
具体的には、塵埃収容室６７がダストボックス１５０から離間する場合、塵埃収容室６７の当接片１２０が突出片１５６を押す方向に作用する力が減じるため、コイルばね１５５のばね力によって、上蓋１５１は閉塞する方向に移動する。
この場合、塵埃収容室６７の移動に伴って、上蓋１５１は閉塞する方向に順次移動するため、この上蓋１５１に形成された押圧板１５４は、箱本体９２の他の側面９２Ｂに順次接近する。このため、押圧板１５４と箱本体９２の他の側面９２Ｂとの間の空間は狭まることにより、この空間に投下された塵埃２００は、図１０に示すように、押圧板１５４と他の側面９２Ｂとによって圧縮される。
この構成によれば、ダストボックス１５０内に集積された塵埃２００は、塵埃収容室６７がダストボックス１５０から離間する動作に連動して、押圧板１５４と箱本体９２の他の側面９２Ｂとの間の空間は狭まることにより、この押圧板１５４と他の側面９２Ｂとによって圧縮されて当該塵埃２００の体積が縮小するため、ダストボックス１５０内の塵埃を廃棄するための期間を長くすることができ、当該ダストボックス１５０のメンテナンス作業を軽減することができる。
以上、本発明の一実施形態について説明したが、本発明はこれに限定されるものではなく、種々の変更実施が可能である。例えば、上記実施形態では、ダストボックス５７、１５０を、吸込グリル３０とともに昇降させる構成について説明したが、ダストボックス５７、１５０の４隅に吊紐を設け、このダストボックス５７、１５０のみを昇降させる構成としても良い。
【図面の簡単な説明】
【００３７】
【図１】本発明の実施の形態に係る天井埋込型空気調和機の斜視図である。
【図２】天井埋込型空気調和機の分解斜視図である。
【図３】天井埋込型空気調和機の断面図である。
【図４】ブラシユニットの外観斜視図である。
【図５】図４の状態から上側ケースを外した状態を示す斜視図である。
【図６】ブラシユニットの側面図である。
【図７】ブラシユニットとダストボックスとを示す側断面図である。
【図８】ブラシユニットがダストボックス上に移動した状態を示す側断面図である。
【図９】ダストボックスを吸込グリルとともに下降させた状態を示す天井埋込型空気調和機の断面図である。
【図１０】ダストボックスの変形例を説明するための図面である。
【図１１】ブラシユニットがダストボックス上に移動した状態を示す側断面図である。
【符号の説明】
【００３８】
１  本体ユニット
９  送風機
１１  熱交換器
２０  フィルタチャンバ
２１  化粧パネル
２２  吸込口
２３  吹出口
２４  ルーバ
２６  吸込開口
２６Ａ  枠部
３０  吸込グリル（昇降手段）
３５  昇降ユニット（昇降手段）
３７  ダストボックス
４０  エアフィルタ
５０  掃除機構（除去手段）
５１  ブラシユニット
５２Ｌ  ガイドレール
５２Ｒ  ガイドレール
５３  ステー
５７  ダストボックス
６１  ケース体
６４  回転ブラシ
６５  ブラシ駆動機構
６６  移動機構
６７  塵埃収容室（塵埃受け部）
６８  下蓋（底蓋）
７１  ブラシ駆動モータ
８１  移動用モータ
８８  ピニオン
８９  回転軸
９０  ピニオン
９１  突出片
９２  箱本体
９３  上蓋
９６  突出片
１００  天井埋込型空気調和機
１５０  ダストボックス
１５１  上蓋
１５４  押圧板（圧縮手段）
２００  塵埃
【図１】
2010043781.tif 000003
【図２】
2010043781.tif 000004
【図３】
2010043781.tif 000005
【図４】
2010043781.tif 000006
【図５】
2010043781.tif 000007
【図６】
2010043781.tif 000008
【図７】
2010043781.tif 000009
【図８】
2010043781.tif 000010
【図９】
2010043781.tif 000011
【図１０】
2010043781.tif 000012
【図１１】
2010043781.tif 000013